(57)【要約】【課題】  眼鏡フレームとレンズとを良好に選択することを可能にする眼鏡マッピング情報取得装置を提供する。【解決手段】  レンズの各部位のレンズ特性を示すマッピング画像を取得するマッピング画像取得手段と、眼鏡のフレームのフレーム画像を取得するフレーム画像取得手段と、マッピング画像とフレーム画像とを関連付けし、マッピング画像とフレーム画像とを関連付けた眼鏡画像を取得する処理手段と、処理手段によって取得される複数の眼鏡画像であって、レンズ特性と、フレームと、マッピング画像とフレーム画像との位置関係と、の少なくともいずれかが異なる複数の眼鏡画像を比較可能に出力する制御手段と、を備える。【選択図】      図１
2019045660.tif 000002
【特許請求の範囲】
【請求項１】
眼鏡マッピング情報取得装置であって、
レンズの各部位のレンズ特性を示すマッピング画像を取得するマッピング画像取得手段と、
眼鏡のフレームのフレーム画像を取得するフレーム画像取得手段と、
前記マッピング画像と前記フレーム画像とを関連付けし、前記マッピング画像と前記フレーム画像とを関連付けた眼鏡画像を取得する処理手段と、
前記処理手段によって取得される複数の眼鏡画像であって、レンズ特性と、フレームと、マッピング画像とフレーム画像との位置関係と、の少なくともいずれかが異なる前記複数の眼鏡画像を比較可能に出力する制御手段と、
を備えることを特徴とする眼鏡マッピング情報取得装置。
【請求項２】
請求項１の眼鏡マッピング情報取得装置において、
前記処理手段は、前記マッピング画像と前記フレーム画像とを重畳した眼鏡画像を取得することを特徴とする眼鏡マッピング情報取得装置。
【請求項３】
請求項１又は２の眼鏡マッピング情報取得装置において、
前記制御手段は、前記複数の眼鏡画像を並列して出力することを特徴とする眼鏡マッピング情報取得装置。
【請求項４】
請求項１〜３のいずれかの眼鏡マッピング情報取得装置において、
前記制御手段は、前記複数の眼鏡画像を表示手段に比較可能に表示することを特徴とする眼鏡マッピング情報取得装置。
【請求項５】
請求項１〜４のいずれかの眼鏡マッピング情報取得装置において、
装用者のアイポイントデータを取得するアイポイントデータ取得手段と、
前記処理手段は、前記アイポイントデータに基づく標識マークを前記複数の眼鏡画像における少なくとも１つの眼鏡画像に重畳させ、
前記制御手段は、前記複数の眼鏡画像を比較可能に出力するとともに、前記複数の眼鏡画像における少なくとも１つの眼鏡画像に重畳された前記標識マークを前記複数の眼鏡画像とともに出力することを特徴とする眼鏡マッピング情報取得装置。
【請求項６】
請求項１〜５のいずれかの眼鏡マッピング装置において、
前記マッピング画像取得手段は、前記マッピング画像が予め蓄積されたマッピング画像データベースから、該当するマッピング画像を取得し、
前記フレーム画像取得手段は、前記フレーム画像が予め蓄積されたフレーム画像データベースから、該当するフレーム画像を取得することを特徴とする眼鏡マッピング情報取得装置。
【請求項７】
請求項１〜６のいずれかの眼鏡マッピング装置は、
前記該当するマッピング画像を前記マッピング画像データベースから選択するための選択手段であって、
前記該当するフレーム画像を前記フレーム画像データベースから選択するための選択手段を備えることを特徴とする眼鏡マッピング情報取得装置。
【請求項８】
眼鏡マッピング情報取得方法であって、
レンズの各部位のレンズ特性を示すマッピング画像を取得するマッピング画像取得ステップと、
眼鏡のフレームのフレーム画像を取得するフレーム画像取得ステップと、
前記マッピング画像と前記フレーム画像とを関連付けし、前記マッピング画像と前記フレーム画像とを関連付けた眼鏡画像を取得する処理ステップと、
前記処理ステップによって取得される複数の眼鏡画像であって、レンズ特性と、フレームと、マッピング画像とフレーム画像との位置関係と、の少なくともいずれかが異なる前記複数の眼鏡画像を比較可能に出力する制御ステップと、
を備えることを特徴とする眼鏡マッピング情報取得方法。
【請求項９】
眼鏡マッピング情報取得装置において実行される眼鏡マッピング情報取得プログラムであって、
レンズの各部位のレンズ特性を示すマッピング画像を取得するマッピング画像取得ステップと、
眼鏡のフレームのフレーム画像を取得するフレーム画像取得ステップと、
前記マッピング画像と前記フレーム画像とを関連付けし、前記マッピング画像と前記フレーム画像とを関連付けた眼鏡画像を取得する処理ステップと、
前記処理ステップによって取得される複数の眼鏡画像であって、レンズ特性と、フレームと、マッピング画像とフレーム画像との位置関係と、の少なくともいずれかが異なる前記複数の眼鏡画像を比較可能に出力する制御ステップと、
を前記眼鏡マッピング情報取得装置に実行させることを特徴とする眼鏡マッピング情報取得プログラム。
【発明の詳細な説明】
【技術分野】
【０００１】
本開示は、眼鏡のマッピング情報を取得する眼鏡マッピング情報取得装置、眼鏡マッピング情報取得方法、及び眼鏡マッピング情報取得プログラムに関する。
【背景技術】
【０００２】
眼鏡のマッピング情報を取得可能な装置の一例として、レンズメータが知られている。レンズメータは、測定光束をレンズに投光し、レンズを透過した測定光束を受光素子で受光することによって、レンズのレンズ特性を測定する（特許文献１参照）。また、レンズメータは、測定したレンズのレンズ特性を示すマッピング画像を表示することができる（特許文献２参照）。
【先行技術文献】
【特許文献】
【０００３】
【特許文献１】特開２００８−２４１６９４号公報
【特許文献２】特開２００５−３０８６４２号公報
【発明の概要】
【発明が解決しようとする課題】
【０００４】
ところで、従来のマッピング情報を取得可能な装置では、レンズ（例えば、単焦点レンズ、二重焦点レンズ、累進多焦点レンズ等）のレンズ特性が、眼鏡フレームに対してどのように位置しているかを把握しづらかった。このため、眼鏡フレームとレンズとの良好な組み合わせを選択することが困難であった。また、装用者が新しく眼鏡を作製する際に、複数の眼鏡フレームと、複数のレンズの中から、眼鏡フレームとレンズとの組み合わせを検討して選択することが困難であった。
【０００５】
本開示は、上記従来技術に鑑み、眼鏡フレームとレンズとを良好に選択することを可能にする眼鏡マッピング情報取得装置を提供することを技術課題とする。
【課題を解決するための手段】
【０００６】
上記課題を解決するため、本開示は以下の構成を備えることを特徴とする。
【０００７】
（１）  本開示の第１態様に係る眼鏡マッピング情報取得装置は、レンズの各部位のレンズ特性を示すマッピング画像を取得するマッピング画像取得手段と、眼鏡のフレームのフレーム画像を取得するフレーム画像取得手段と、前記マッピング画像と前記フレーム画像とを関連付けし、前記マッピング画像と前記フレーム画像とを関連付けた眼鏡画像を取得する処理手段と、前記処理手段によって取得される複数の眼鏡画像であって、レンズ特性と、フレームと、マッピング画像とフレーム画像との位置関係と、の少なくともいずれかが異なる前記複数の眼鏡画像を比較可能に出力する制御手段と、を備えることを特徴とする。
（２）  本開示の第２態様に係る眼鏡マッピング情報取得方法は、レンズの各部位のレンズ特性を示すマッピング画像を取得するマッピング画像取得ステップと、眼鏡のフレームのフレーム画像を取得するフレーム画像取得ステップと、前記マッピング画像と前記フレーム画像とを関連付けし、前記マッピング画像と前記フレーム画像とを関連付けた眼鏡画像を取得する処理ステップと、前記処理ステップによって取得される複数の眼鏡画像であって、レンズ特性と、フレームと、マッピング画像とフレーム画像との位置関係と、の少なくともいずれかが異なる前記複数の眼鏡画像を比較可能に出力する制御ステップと、を備えることを特徴とする。
（３）  本開示の第３態様に係る眼鏡マッピング情報取得プログラムは、眼鏡マッピング情報取得装置において実行される眼鏡マッピング情報取得プログラムであって、レンズの各部位のレンズ特性を示すマッピング画像を取得するマッピング画像取得ステップと、眼鏡のフレームのフレーム画像を取得するフレーム画像取得ステップと、前記マッピング画像と前記フレーム画像とを関連付けし、前記マッピング画像と前記フレーム画像とを関連付けた眼鏡画像を取得する処理ステップと、前記処理ステップによって取得される複数の眼鏡画像であって、レンズ特性と、フレームと、マッピング画像とフレーム画像との位置関係と、の少なくともいずれかが異なる前記複数の眼鏡画像を比較可能に出力する制御ステップと、を前記眼鏡マッピング情報取得装置に実行させることを特徴とする。
【図面の簡単な説明】
【０００８】
【図１】眼鏡マッピング情報取得装置の外観図である。
【図２】収納部内の概略構成図である。
【図３】眼鏡マッピング情報取得装置における光学系を示す図である。
【図４】指標板を説明する図である。
【図５】スクリーンに投影される測定指標像を示す図である。
【図６】駆動部の斜視図である。
【図７】駆動部の右側面図である。
【図８】駆動部の左側面図である。
【図９】駆動部の正面図である。
【図１０】駆動部の背面図である。
【図１１】眼鏡マッピング情報取得装置の制御系を示す図である。
【図１２】制御動作を示すフローチャートである。
【図１３】第２モード設定時の受光画像の一例である。
【図１４】眼鏡のフレーム画像を示す図である。
【図１５】第１モード設定時の受光画像を示す図である。
【図１６】マッピング画像の一例である。
【図１７】マッピング画像とフレーム画像とを重畳した眼鏡画像の一例である。
【図１８】ディスプレイに表示される比較画像の一例である。
【図１９】比較画像の変容例を示す図である。
【図２０】眼鏡画像の変容例を示す図である。
【発明を実施するための形態】
【０００９】
＜概要＞
本開示の実施形態を図面に基づいて説明する。本開示においては、眼鏡マッピング情報取得装置の水平方向（左右方向）をＸ方向、鉛直方向（上下方向）をＹ方向、奥行方向（前後方向）をＺ方向として説明する。また、本開示においては、左用を示すものに符号Ｌを、右用を示すものに符号Ｒを付して説明する。なお、本開示における平行とは、完全に平行な状態、及び略平行な状態を含む。以下、＜＞にて分類した項目は、独立または関連して利用され得る。
【００１０】
なお、本開示の適用は、本実施例に記載した装置に限定されない。例えば、下記実施例の機能を行う案末制御ソフトウェア（プログラム）を、ネットワークまたは各種の記憶媒体等を介してシステムあるいは装置に供給し、システムあるいは装置の制御装置（例えば、ＣＰＵ等）がプログラムを読み出して実行することも可能である。
【００１１】
例えば、眼鏡マッピング情報取得装置（例えば、眼鏡マッピング情報取得装置１）は、レンズ測定手段（例えば、測定光学系１０）を備える。また、例えば、眼鏡マッピング情報取得装置は、マッピング画像取得手段（例えば、制御部６０）を備える。また、例えば、眼鏡マッピング情報取得装置は、フレーム画像取得手段（例えば、制御部６０）を備える。また、例えば、眼鏡マッピング情報取得装置は、処理手段（例えば、制御部６０）を備える。また、例えば、眼鏡マッピング情報取得装置は、制御手段（例えば、制御部６０）を備える。
【００１２】
＜レンズ測定手段＞
例えば、レンズ測定手段は、レンズ（例えば、レンズＬＥ）の各部位のレンズ特性を測定する。例えば、レンズ特性は、レンズの球面度数Ｓ、円柱度数Ｃ、乱視軸角度Ａ、プリズム量Δ等であってもよい。また、例えば、レンズ特性は二次元分布として示されてもよい。この場合、二次元分布はレンズの全体の領域を示すものであってもよい。また、この場合、二次元分布は、レンズの一部の領域を示すものであってもよい。なお、レンズの一部の領域としては、レンズの遠用部や近用部等が挙げられる。
【００１３】
例えば、レンズ測定手段は、少なくとも受光素子（例えば、受光素子１６）と光源（例えば、光源１１）とを備えていればよい。例えば、この場合、レンズ測定手段は、レンズ（例えば、コンデンサレンズ１２と撮像レンズ１５の少なくともいずれか）を備えていてもよい。また、例えば、レンズ測定手段は、指標板（例えば、指標板１３）を備えていてもよい。また、例えば、レンズ測定手段は、スクリーン（例えば、スクリーン１４）を備えていてもよい。
【００１４】
＜マッピング画像取得手段＞
例えば、マッピング画像取得手段は、レンズの各部位のレンズ特性を示すマッピング画像（例えば、マッピング画像９５）を取得する。例えば、マッピング画像は、レンズの各部位のレンズ特性が等しい領域を示す画像であってもよい。この場合、マッピング画像取得手段は、レンズ特性が等しい測定位置を結んだ等度数線（例えば、等度数線９６）を形成することで、マッピング画像を取得してもよい。また、この場合、マッピング画像取得手段は、等度数線を表現するグラフィックを作成し、レンズ特性が等しい領域を色分け等してグラフィカルに表現したマッピング画像を取得してもよい。
【００１５】
例えば、マッピング画像取得手段は、眼鏡マッピング情報取得装置が取得したマッピング画像を取得する構成であってもよい。例えば、この場合、マッピング画像取得手段は、レンズ測定手段によって測定されたレンズ特性に基づいて、マッピング画像を取得してもよい。例えば、マッピング画像取得手段は、別の装置により取得されたマッピング画像を取得する構成であってもよい。この場合には、マッピング画像取得手段は、別の装置からマッピング画像を受信することで、マッピング画像を取得してもよい。また、この場合には、マッピング画像取得手段は、別の装置から外部メモリに保存されたマッピング画像を読み込むことで、マッピング画像を取得してもよい。もちろん、マッピング画像取得手段は、別の装置により測定されたレンズ特性を取得し、このレンズ特性を用いてマッピング画像を作成することで、マッピング画像を取得してもよい。
【００１６】
なお、例えば、マッピング画像取得手段は、予めデータベースに蓄積された複数のマッピング画像から、該当するマッピング画像を取り込むことで、マッピング画像を取得する構成であってもよい。この場合、データベースには、予めレンズ特性を測定することで取得したマッピング画像が蓄積されていてもよい。また、この場合、データベースには、レンズを製造する際に用いるレンズ設計データに基づくマッピング画像が蓄積されていてもよい。
【００１７】
例えば、データベースに蓄積される複数のマッピング画像は、レンズ特性を示したマッピング画像であってもよい。また、例えば、データベースに蓄積される複数のマッピング画像は、レンズ特性とともに、装用者のアイポイント位置が示されたマッピング画像であってもよい。また、例えば、データベースに蓄積される複数のマッピング画像は、レンズ特性とともに、レンズの幾何学中心位置が示されたマッピング画像であってもよい。
【００１８】
＜フレーム画像取得手段＞
例えば、フレーム画像取得手段は、眼鏡のフレームのフレーム画像（例えば、フレーム画像９０）を取得する。例えば、フレーム画像は、少なくとも眼鏡のフレーム像（例えば、フレーム像Ｆｐ）を含む画像であればよい。この場合、眼鏡のフレーム像は、眼鏡の左のフレーム像と、眼鏡の右のフレーム像と、のいずれかを含むものであってもよい。もちろん、眼鏡のフレーム像は、眼鏡の左のフレーム像と、眼鏡の右のフレーム像と、をどちらも含むものであってもよい。
【００１９】
例えば、フレーム画像取得手段は、受光素子が撮影した画像を画像処理することによって、眼鏡のフレーム像を検出し、フレーム画像を取得してもよい。例えば、画像処理としては、眼鏡のフレーム像を検出可能であればよい。すなわち、例えば、フレーム画像取得手段は、眼鏡のフレーム像を含む画像に対してエッジ検出を行う構成であってもよい。また、例えば、フレーム画像取得手段は、眼鏡のフレーム像を含む画像と、眼鏡のフレーム像を含まない画像と、の差分処理を行う構成であってもよい。
【００２０】
例えば、フレーム画像取得手段は、眼鏡マッピング情報取得装置が取得したフレーム画像を取得する構成であってもよい。例えば、この場合、フレーム画像取得手段は、受光素子が撮影した受光画像（例えば、受光画像６５）から、フレーム画像を取得してもよい。例えば、フレーム画像取得手段は、別の装置により取得されたフレーム画像を取得する構成であってもよい。この場合、フレーム画像取得手段は、別の装置からフレーム画像を受信することで、フレーム画像を取得してもよい。また、この場合、フレーム画像取得手段は、別の装置から外部メモリに保存されたフレーム画像を読み込むことで、フレーム画像を取得してもよい。もちろん、フレーム画像取得手段は、別の装置により検出されたフレーム検出結果を取得し、このフレーム検出結果を基にしてフレーム画像を作成することで、フレーム画像を取得してもよい。
【００２１】
なお、例えば、フレーム画像取得手段は、予めデータベースに蓄積された複数のフレーム画像から、該当するフレーム画像を取り込むことで、フレーム画像を取得する構成であってもよい。この場合、データベースには、予め眼鏡のフレーム形状を測定することで取得したフレーム画像が蓄積されていてもよい。また、この場合、データベースには、眼鏡のフレーム形状を測定した結果に基づいて、グラフィックにより作成されたフレーム画像が蓄積されていてもよい。また、この場合、データベースには、フレームを製造する際に用いるフレーム設計データに基づくフレーム画像が蓄積されていてもよい。
【００２２】
例えば、データベースに蓄積される複数のフレーム画像は、眼鏡のフレーム形状を示したフレーム画像であってもよい。また、例えば、データベースに蓄積される複数のフレーム画像は、フレーム形状とともに、装用者のアイポイント位置が示されたフレーム画像であってもよい。また、例えば、データベースに蓄積される複数のフレーム画像は、フレーム形状とともに、フレームのボクシング中心が示されたフレーム画像であってもよい。
【００２３】
例えば、フレーム画像としては、眼鏡のフレーム形状を示す情報であってもよい。例えば、眼鏡のフレーム形状とは、眼鏡のリムの外縁の形状であってもよい。また、例えば、眼鏡のフレーム形状とは、眼鏡のリムの内縁の形状であってもよい。また、例えば、眼鏡のフレーム形状とは、眼鏡のリムの溝底の形状であってもよい。例えば、フレーム画像としては、眼鏡に枠入れされるレンズの形状を示す情報であってもよい。例えば、レンズの形状とは、レンズの玉型であってもよい。また、例えば、レンズの形状とは、デモレンズのエッジラインであってもよい。すなわち、フレーム画像としては、眼鏡におけるフレームの形状、あるいはレンズの形状に関連した情報であればよい。
【００２４】
＜処理手段＞
例えば、処理手段は、マッピング画像とフレーム画像とを関連付ける。また、例えば、処理手段は、マッピング画像とフレーム画像とを関連付けた眼鏡画像（例えば、眼鏡画像１００）を取得する。例えば、これによって、フレームに対してレンズ特性がどのように位置しているかを把握することができる。
【００２５】
例えば、処理手段は、マッピング画像とフレーム画像との位置関係を把握できるように、これらの画像を関連付ける構成であってもよい。例えば、この場合には、マッピング画像とフレーム画像とを関連付ける方法として、フレーム画像における眼鏡のフレーム像の位置をマッピング画像に示す構成が挙げられる。また、例えば、この場合には、マッピング画像とフレーム画像とを関連付ける方法として、マッピング画像とフレーム画像とを重畳させる構成が挙げられる。
【００２６】
例えば、処理手段は、マッピング画像とフレーム画像とを重畳させて関連付けることにより、マッピング画像とフレーム画像とを重畳した眼鏡画像を取得することができる。これによって、眼鏡フレームとレンズとの位置関係が良好であるかを判断することができる。また、これによって、フレームに対するレンズ特性の位置を容易に判断することができる。特に、累進レンズでは、その遠用部や近用部がフレーム内におさまっているかを容易に判断することができる。
【００２７】
なお、例えば、処理手段は、複数の眼鏡画像を取得してもよい。例えば、この場合、処理手段は、少なくとも２つ以上の眼鏡画像を取得する構成であってもよい。
【００２８】
＜制御手段＞
例えば、制御手段は、レンズ特性と、フレームと、マッピング画像とフレーム画像との位置関係と、の少なくともいずれかが異なる複数の眼鏡画像を比較可能に出力する。これにより、眼鏡フレームとレンズとの良好な組み合わせを選択することができる。また、眼鏡の違いによる見え具合等の変化を容易に比較することができる。また、例えば、制御手段は、複数の眼鏡画像を並列して出力する。これにより、複数の眼鏡画像から、眼鏡フレームとレンズとが良好な組み合わせを容易に検討することができる。また、複数の眼鏡画像から、レンズ特性や見え具合等がどのように変化したかを把握しやすくなる。また、装用者に対して、レンズ特性や見え具合等の違いを説明しやすくなる。
【００２９】
例えば、制御手段は、複数の眼鏡画像を表示手段に表示することで、比較可能に出力する。例えば、この場合、表示手段は、眼鏡マッピング情報取得装置が備える表示手段であってもよい。また、例えば、表示手段は、眼鏡マッピング情報取得装置とは異なる装置の表示手段であってもよい。また、例えば、表示手段は、携帯端末（例えば、タブレット端末等）の表示手段であってもよい。例えば、これによって、眼鏡画像同士を容易に比較することができる。このため、操作者は、眼鏡フレームとレンズとの良好な組み合わせを選択することができる。また、レンズ特性や見え具合等の違いを理解しやすくなる。
【００３０】
例えば、制御手段は、複数の眼鏡画像を表示手段に並列して表示させることで、比較可能としてもよい。また、例えば、制御手段は、１つの眼鏡画像を表示手段に表示し、表示手段を切換えることによって、複数の眼鏡画像を比較可能としてもよい。すなわち、例えば、制御手段は、眼鏡画像の並列表示と、表示手段の切換えと、の少なくともいずれかを行うことで、複数の眼鏡画像を比較可能としてもよい。
【００３１】
なお、例えば、制御手段は、複数の眼鏡画像を外部メモリへ保存することで、比較可能に出力する構成であってもよい。また、例えば、制御手段は、複数の眼鏡画像を別の装置へ転送することで、比較可能に出力する構成であってもよい。また、例えば、制御手段は、複数の眼鏡画像を印刷することで、比較可能に出力する構成であってもよい。例えば、この場合には、１枚の用紙に複数の眼鏡画像を並べて印刷するようにしてもよい。
【００３２】
例えば、本実施例における眼鏡マッピング情報取得装置は、装用者のアイポイントデータを取得するアイポイント取得手段（例えば、制御部６０）を備えていてもよい。例えば、この場合、処理手段は、アイポイントデータに基づく標識マーク（例えば、標識マーク１２０）を複数の眼鏡画像における少なくとも１つの眼鏡画像に重畳させる。もちろん、処理手段は、標識マークを複数の眼鏡画像におけるすべての眼鏡画像に重畳させるようにしてもよい。
【００３３】
例えば、眼鏡マッピング情報取得装置がアイポイント取得手段を備える場合、制御手段は、複数の眼鏡画像を比較可能に出力するとともに、複数の眼鏡画像における少なくとも１つの眼鏡画像に重畳された標識マークを、複数の眼鏡画像とともに出力する。これによって、装用者のアイポイント位置等が眼鏡のフレームに対してどこに位置するかを把握し、装用者にとって良好な眼鏡フレームとレンズの組み合わせであるかを容易に判断することができる。
【００３４】
また、例えば、本実施例における眼鏡マッピング情報取得装置は、レンズの隠しマークの位置を取得するための構成を備えていてもよい。例えば、この場合、処理手段は、隠しマークを複数の眼鏡画像における少なくとも１つの眼鏡画像に重畳させてもよい。もちろん、処理手段は、標識マークを複数の眼鏡画像におけるすべての眼鏡画像に重畳させるようにしてもよい。
【００３５】
なお、例えば、隠しマークの位置は、隠しマークを検出するための光学系を別途備えた眼鏡マッピング情報取得装置により取得してもよい。また、例えば、隠しマークの位置は、隠しマークを検出するための光学系と測定光学系とを兼用した眼鏡マッピング情報取得装置により取得してもよい。もちろん、例えば、隠しマークの位置は、別の装置により取得してもよい。
【００３６】
＜実施例＞
以下、本実施例における眼鏡マッピング情報取得装置について説明する。図１は眼鏡マッピング情報取得装置１の外観図である。例えば、眼鏡マッピング情報取得装置１は、筐体２、ディスプレイ（モニタ）３、操作ボタン４等を備える。例えば、筐体２は、その内部に収納部５を備える。なお、収納部５についての詳細は後述する。
【００３７】
例えば、ディスプレイ３は、ＬＣＤ（Liquid Crystal Display）、有機ＥＬ（Electro Luminescence）ディスプレイ、プラズマディスプレイ等のいずれかで構成される。例えば、ディスプレイ３は、眼鏡マッピング情報取得装置１に搭載する構成でもよいし、眼鏡マッピング情報取得装置１に接続する構成でもよい。もちろん、本実施例における眼鏡マッピング情報取得装置１は、複数のディスプレイを併用する構成としてもよい。
【００３８】
例えば、ディスプレイ３は、眼鏡Ｆに枠入れされたレンズＬＥのレンズ情報を表示する。例えば、レンズ情報とは、レンズＬＥのレンズ特性（例えば、球面度数Ｓ、円柱度数Ｃ、乱視軸角度Ａ、プリズム量Δ等）や、レンズ特性を示すマッピング画像９５（図１６参照）等である。なお、マッピング画像９５の詳細については後述するが、マッピング画像９５は、レンズ特性を等度数線９６で表した画像であってもよいし、レンズ特性が等しい領域（すなわち、等度数線と等度数線の間の領域）を色分け等してグラフィカルに表現した画像であってもよい。
【００３９】
例えば、ディスプレイ３はタッチパネルである。すなわち、本実施例においては、ディスプレイ３が操作部（コントローラ）として機能する。例えば、ディスプレイ３から入力された操作指示に応じた信号は、後述する制御部６０に出力される。なお、ディスプレイ３はタッチパネル式でなくてもよいし、ディスプレイ３と操作部とを別に設けるようにしてもよい。例えば、ディスプレイ３と操作部とを別に設ける場合には、マウス、ジョイスティック、キーボード、ボタン、携帯端末等の少なくともいずれかを操作部として用いることができる。
【００４０】
例えば、操作ボタン４はディスプレイ３の画面に表示される。例えば、操作ボタン４は、眼鏡マッピング情報取得装置１が各種の処理（例えば、レンズ特性の測定開始等）を実行するための信号を入力する際に用いる。すなわち、操作者は、ディスプレイ３の画面をタッチすることで、操作ボタン４を操作することができる。
【００４１】
図２は収納部５内の概略構成図である。例えば、収納部５は、眼鏡支持ユニット２０、駆動部３０、測定部７、等を備える。例えば、眼鏡支持ユニット２０は、眼鏡Ｆを支持する。例えば、駆動部３０は、測定部７に対して眼鏡支持ユニット２０を前後方向（Ｚ方向）、左右方向（Ｘ方向、）及び上下方向（Ｙ方向）に移動させる。例えば、測定部７は、後述する測定光学系１０を備える。また、例えば、測定部７は、レンズＬＥの後面に当接する当接ピン６を有する。例えば、当接ピン６は、測定光学系１０が備える指標板１３の上面に固定される。
【００４２】
例えば、当接ピン６は３本で構成される。例えば、当接ピン６は、測定光学系１０の光軸Ｌ１に対してそれぞれが等距離かつ等角度となるように配置される。すなわち、当接ピン６は、光軸Ｌ１が指標板１３を通過する点（本実施例においては、基準指標７１（図４参照）が位置する点）を基点として、基点から各当接ピン６までの距離が等しくなるように配置される。また、当接ピン６は、基点と各当接ピン６を結ぶ二直線のなす角度が等しくなるように（すなわち、１２０度となるように）配置される。なお、当接ピン６はレンズＬＥの後面に当接可能であればよく、何本で構成されてもよい。また、当接ピン６は、測定光学系１０の光軸Ｌ１に対して、それぞれが異なる距離で配置されていてもよいし、それぞれが異なる角度で配置されていてもよい。
【００４３】
＜眼鏡支持ユニット＞
例えば、眼鏡支持ユニット２０は、眼鏡Ｆを少なくとも２箇所以上で支持する。例えば、眼鏡支持ユニット２０は、前方支持部２１と、後方支持部２２と、基台２３と、を備える。例えば、基台２３には、前方支持部２１と後方支持部２２とが固定されている。
【００４４】
例えば、前方支持部２１は、眼鏡Ｆの前方部位の位置を支持する。例えば、眼鏡Ｆの前方部位の位置とは、眼鏡ＦのブリッジＦＢやリムＦＲ等、装用者が眼鏡Ｆを装用した状態の中心位置よりも前方の位置である。例えば、本実施例では、前方支持部２１が、眼鏡ＦのブリッジＦＢを支持する場合を例に挙げる。例えば、前方支持部２１は上方を開口したコの字形状であり、眼鏡Ｆの上方（つまり、リムＦＲの上端側）を下に向けた状態で、ブリッジＦＢを載置する。もちろん、眼鏡Ｆの下方（つまり、リムＦＲの下端側）を下に向けた状態で、前方支持部２１にブリッジＦＢを載置してもよい。
【００４５】
例えば、後方支持部２２は、眼鏡Ｆの後方部位の位置を支持する。例えば、眼鏡Ｆの後方部位の位置とは、眼鏡ＦのテンプルＦＴやモダンＦＭ等、装用者が眼鏡Ｆを装用した状態の中心位置よりも後方の位置である。例えば、本実施例では、後方支持部２２が、眼鏡ＦのモダンＦＭを支持する場合を例に挙げる。例えば、後方支持部２２は上方を開口したコの字形状であり、眼鏡Ｆの上方（つまり、リムＦＲの上端側）を下に向けた状態で、モダンＦＭを載置する。もちろん、眼鏡Ｆの下方（つまり、リムＦＲの下端側）を下に向けた状態で、後方支持部２２にモダンＦＭを載置してもよい。
【００４６】
＜測定光学系＞
図３は、眼鏡マッピング情報取得装置１における光学系を示す図である。例えば、測定光学系１０は、レンズＬＥの各部位におけるレンズ特性を測定する。例えば、測定光学系１０は、光源１１、コリメータレンズ１２、指標板１３、スクリーン１４、撮像レンズ１５、受光素子１６、ハーフミラー１７、等を備える。例えば、光源１１は、第１光源１１ａと第２光源１１ｂで構成される。例えば、コリメータレンズ１２は、光源１１から出射した測定光束を光軸Ｌ１と平行（略平行も含む）にする。例えば、指標板１３には、レンズＬＥの光学特性を測定するための測定指標７０が形成されている。なお、測定指標７０についての詳細は後述する。例えば、スクリーン１４は、指標板１３から所定の距離だけ離れた位置に設けられる。また、例えば、スクリーン１４は、指標板１３に形成された測定指標７０の像（すなわち、後述する測定指標像８０）を投影する。例えば、撮像レンズ１５は、スクリーン１４を通過した測定光束を集光させる。例えば、受光素子１６は、ＣＣＤ（Charge Coupled Device）、あるいはＣＭＯＳ（Complementary Metal Oxide Semiconductor）で構成される。例えば、ハーフミラー１７は、光源１１から出射した測定光束を通過あるいは反射させる。
【００４７】
＜光源＞
例えば、光源１１は、特定の波長帯域をもつ測定光束を出射する。すなわち、例えば、光源１１は、波長帯域の広い測定光束を出射する光源（例えば、ＬＥＤ（Light Emitting Diode）等）で構成されてもよい。また、例えば、光源１１は、波長帯域の狭い測定光束を出射する光源（例えば、レーザ等）で構成されてもよい。
【００４８】
例えば、第１光源１１ａは、第２光源１１ｂとは異なる波長の測定光束を出射可能であればよい。この場合、第１光源１１ａは、波長のピークと、波長帯域と、の少なくともいずれかが第２光源１１ｂとは異なる測定光束を出射可能であればよい。なお、例えば、本実施例においては、第１光源１１ａとして赤外光線を出射可能な光源を用いるようにしてもよい。また、例えば、本実施例においては、第２光源１１ｂとして可視光線を出射可能な光源を用いるようにしてもよい。
【００４９】
例えば、本実施例においては、レンズＬＥのレンズ特性を取得する際に、第１光源１１ａが用いられる。また、例えば、本実施例においては、後述する眼鏡Ｆのフレーム画像９０（図１４参照）を取得する際に、第２光源１１ｂが用いられる。
【００５０】
＜測定指標＞
図４は指標板１３を説明する図である。図４（ａ）は指標板１３の側面図である。図４（ｂ）は指標板１３の平面図（光軸Ｌ１方向から見た図）である。例えば、指標板１３は、円形部材１８を備える。また、例えば、指標板１３には、基準指標７１と、周辺指標７２と、からなる測定指標７０が形成されている。
【００５１】
例えば、測定指標７０は、第１光源１１ａから出射した測定光束と、第２光源１１ｂから出射した測定光束と、をどちらも通過させる。なお、例えば、測定指標７０は、第１光源１１ａから出射した測定光束、及び第２光源１１ｂから出射した測定光束を完全に通過させる構成（すなわち、測定光束を１００％通過させる構成）でなくてもよい。例えば、測定指標７０は、これらの測定光束の一部を通過させる構成（例えば、測定光束を８０％通過させる構成、測定光束を６０％通過させる構成、等）であってもよい。
【００５２】
例えば、測定指標７０以外の部分（すなわち、図４における斜線部１９）は、第１光源１１ａから出射した測定光束を遮光し、第２光源１１ｂから出射した測定光束を通過させる。なお、例えば、斜線部１９は、第１光源１１ａから出射した測定光束を完全に遮光する構成（すなわち、測定光束を０％通過させる構成）でなくてもよい。例えば、斜線部１９は、第１光源１１ａから出射した測定光束の一部を遮光する構成（例えば、測定光束を１０％通過させる構成、測定光束を３０％通過させる構成、等）であってもよい。また、例えば、斜線部１９は、第２光源１１ｂから出射した測定光束を完全に通過させる構成でなくてもよい。例えば、斜線部１９は、第２光源１１ｂから出射した測定光束の一部を通過させる構成であってもよい。
【００５３】
なお、例えば、測定光束の一部が、測定指標７０や斜線部１９を通過あるいは遮光する場合、第１光源１１ａから出射した測定光束は、斜線部１９よりも測定指標７０を多く通過する構成であるとよい。また、例えば、このような場合、第２光源１１ｂから出射した測定光束は、測定指標７０よりも斜線部１９を少なく通過する構成であるとよい。また、例えば、このような場合、第１光源１１ａから出射した測定光束は、第２光源１１ｂから出射した測定光束よりも、斜線部１９を少なく通過する構成であるとよい。
【００５４】
例えば、測定指標７０は、コーティング（例えば、浸漬、蒸着、塗装等）、印刷（例えば、シルク印刷等）、フォトリソグラフィ等の手法により形成されてもよいし、孔（例えば、円孔、角孔、スリット孔等）から形成されてもよい。また、例えば、斜線部１９（すなわち、測定指標７０以外の部分）は、コーティングや印刷等の手法により形成されてもよい。
【００５５】
例えば、基準指標７１は、四角形状の点であり、指標板１３の中央に配置される。もちろん、基準指標７１は四角形状の点に限らず、円形状や三角形状の点であってもよい。また、基準指標７１は、指標板１３の中央に限らず、指標板のいずれの位置に配置されてもよい。なお、本実施例においては、指標板１３に基準指標を１つ設ける構成としたが、複数を設ける構成としてもよい。すなわち、本実施例における基準指標７１は、周辺指標７２と区別できればよく、形状、位置、及び個数等は本実施例と異なっていてもよい。
【００５６】
例えば、周辺指標７２は円形状の点であり、基準指標７１の周辺に等間隔で規則的に配置される。もちろん、周辺指標７２は円形状の点に限らず、四角形状や三角形状の点であってもよい。また、周辺指標７２は、縦線及び横線からなる井桁格子、縦格子、横格子、クロス格子等の形状であってもよい。なお、本実施例においては、周辺指標７２を等間隔に配置しているが、周辺指標７２は非等間隔に配置してもよい。
【００５７】
例えば、指標板１３に基準指標７１が形成されていることによって、スクリーン１４に投影される各周辺指標像８２（図５参照）の位置を特定しやすくなる。より詳細には、眼鏡Ｆを載置していない「０Ｄ基準」状態において撮像される周辺指標像８２が、レンズＬＥを載置した状態において撮像される周辺指標像８２のいずれに該当するかを特定できるようになる。
【００５８】
図５はスクリーン１４に投影される測定指標像８０を示す図である。図５（ａ）は眼鏡Ｆを載置していない０Ｄ基準状態の測定指標像８０であり、図５（ｂ）は眼鏡Ｆを載置した状態の測定指標像８０である。なお、本実施例においては、眼鏡Ｆを載置した状態の測定指標像８０として、累進多焦点レンズ（以下、累進レンズと称す）が枠入れされた眼鏡Ｆを載置した状態の測定指標像８０を例に挙げている。例えば、眼鏡Ｆを載置した状態では、測定指標像８０（つまり、基準指標像８１及び周辺指標像８２）とともに、眼鏡Ｆのフレーム像Ｆｐ（例えば、本実施例においては、リムＦＲの上端像ＦＲｕとリムＦＲの下端像ＦＲｄ）がスクリーン１４に投影される。
【００５９】
例えば、０Ｄ基準状態（図５（ａ）参照）では、第１光源１１ａから照射された測定光束が、ハーフミラー１７を通過し、コリメータレンズ１２により光軸Ｌ１と平行となって指標板１３へ導かれ、指標板１３に形成された測定指標７０を通過する。このため、スクリーン１４には、周辺指標像８２の間隔と、指標板１３に形成された周辺指標７２の間隔と、を同じくする測定指標像８０が投影される。
【００６０】
例えば、眼鏡Ｆを載置した状態では、第１光源１１ａから照射された測定光束が、ハーフミラー１７を通過し、コリメータレンズに１２より光軸Ｌ１と平行となって指標板１３へ導かれるが、レンズＬＥにより屈折されて、拡散あるいは収束する。例えば、レンズＬＥがマイナスレンズであれば測定光束は拡散し、レンズＬＥがプラスレンズであれば測定光束は収束する。例えば、眼鏡Ｆを載置した状態では、このように屈折した光束が指標板１３に形成された測定指標７０を通過する。このため、スクリーン１４には、周辺指標像８２の間隔が、指標板１３に形成された周辺指標７２の間隔よりも広くなった測定指標像８０、あるいは狭くなった測定指標像８０が投影される。なお、レンズＬＥが乱視レンズである場合、スクリーンには円柱度数及び乱視軸角度に応じて楕円形状に歪んだ測定指標像８０が投影される。また、レンズＬＥが累進レンズである場合（図５（ｂ）参照）、スクリーン１４には累進帯のレンズ特性に応じて変形した測定指標像８０が投影される。
【００６１】
例えば、スクリーン１４に投影された測定指標像８０は、撮像レンズ１５を介して受光素子１６に撮像される。なお、０Ｄ基準状態において撮像される測定指標像８０は、予めメモリ６１に記憶しておいてもよい。
【００６２】
例えば、後述する制御部６０は、受光素子１６が撮像した測定指標像８０を解析し、レンズＬＥの複数箇所におけるレンズ特性を一度に測定する。例えば、レンズ特性は、隣接する４個（少なくとも３個）の周辺指標像８２を１組として算出することができる。あるいは、レンズ特性は、３×３個、４×４個、５×５個等の周辺指標像８２を１組として算出することもできる。なお、測定指標像８０を用いたレンズ特性測定についての詳細は、特開２００８−２４１６９４号公報参照を参照されたい。
【００６３】
＜駆動部＞
例えば、駆動部３０は、測定部７に対して、眼鏡支持ユニット２０を前後方向（Ｚ方向）、左右方向（Ｘ方向）、及び上下方向（Ｙ方向）に移動させる。図６〜図１０は、駆動部３０を説明するための概略構成図である。図６は駆動部３０の斜視図である。図７は駆動部３０の右側面図（図２における矢印Ａ方向からみた図）である。図８は駆動部３０の左側面図（図２における矢印Ｂ方向からみた図）である。図９は駆動部３０の正面図（図２における矢印Ｃ方向からみた図）である。図１０は駆動部３０の背面図（図２における矢印Ｄ方向からみた図）である。
【００６４】
例えば、測定部７の下部にはナット部３１が固定され、Ｘ方向に伸びる送りネジ３２がナット部３１に螺合する。例えば、送りネジ３２の両端は、ベアリングを介して基台３３に連結されている。また、例えば、測定部７の下部にはボールブッシュ３４が固定され、Ｘ方向に伸びるシャフト３５がボールブッシュを貫通する。例えば、シャフト３５の両端は基台３３に連結されている。例えば、基台３３の下面にはモータ３６が取り付けられている。例えば、モータ３６の駆動軸は送りネジ３２と螺合する。
【００６５】
例えば、モータ３６を駆動させると、送りネジ３２が回転する。例えば、測定部７は固定配置されているので、ナット部３１によって送りネジ３２が送られると、送りネジ３２とともに基台３３が左右方向（Ｘ方向）に移動する。例えば、このとき、シャフト３５はボールブッシュ３４内を摺動する。例えば、眼鏡支持ユニット２０は、このように基台３３を移動させることにより、測定部７に対して左右方向に移動させることができる。
【００６６】
例えば、基台３３の上面には、軸受支持部材が固定されている。例えば、軸受支持部材は、基台３３の上面前方に位置する軸受支持部材３７と、基台３３の上面後方に位置する軸受支持部材３８と、で構成される。例えば、軸受支持部材３７にはベアリング３９が設けられ、Ｚ方向に伸びる送りネジ４６の一端がベアリング３９に連結する。例えば、軸受支持部材３８にもベアリングが設けられ、これに送りネジ４６が貫通する。例えば、送りネジ４６の他端はモータ４０の駆動軸と連結する。例えば、モータ４０は軸受支持部材３８に固定されている。
【００６７】
また、例えば、基台３３の上面には、ボールブッシュ支持部材４１が固定されている。例えば、ボールブッシュ支持部材４１にはボールブッシュが設けられ、Ｚ方向に伸びるシャフト４２がボールブッシュに貫通している。
【００６８】
例えば、基台４３の下面には、ナット支持部材４４と、シャフト支持部材４５と、が固定されている。例えば、ナット支持部材４４にはナット部が設けられており、このナット部は送りネジ４６と螺合する。例えば、シャフト支持部材４５にはボールブッシュが設けられており、このボールブッシュにはシャフト４２が貫通する。
【００６９】
例えば、モータ４０を駆動させると、送りネジ４６が回転する。これによって、ナット支持部材４４のナット部が送りネジ４６に送られ、ナット支持部材４４、及びナット支持部材４４が固定された基台４３が前後方向（Ｚ方向）に移動する。例えば、このとき、基台４３の移動にともなって、基台４３に固定されたシャフト支持部材４５は、シャフト４２上を摺動する。例えば、送りネジ４６がモータ４０により回転しても、ベアリング３９によって基台３３にはモータ４０の駆動が伝達されず、基台３３は前後方向（Ｚ方向）に移動しない。例えば、眼鏡支持ユニット２０は、このように基台４３を移動させることにより、測定部７に対して前後方向に移動させることができる。
【００７０】
例えば、基台４７はナット部を有し、Ｙ方向に伸びる送りネジ４８がこのナット部に螺合する。また、例えば、基台４７はボールブッシュを有し、Ｙ方向に伸びるシャフト４９とシャフト５０とのそれぞれが、このボールブッシュを貫通する。例えば、送りネジ４８の一端は、基台４３に設けられたベアリングを介して、基台４３に連結される。例えば、送りネジ４８の他端は、取付板５１に設けられたベアリングを介して、取付板５１に連結される。例えば、シャフト４９の一端は、基台４３に設けられたボールブッシュを介して、基台４３に連結される。例えば、シャフト４９の他端は、取付板５２に設けられたボールブッシュを介して、取付板５２に連結される。同様に、例えば、シャフト５０の一端は、基台４３に設けられたボールブッシュを介して、基台４３に連結される。例えば、シャフト５０の他端は、取付板５３に設けられたボールブッシュを介して、取付板５３に連結される。例えば、取付板５１には、モータ５４が固定されている。例えば、モータ５４の駆動軸は、送りネジ４８と螺合する。
【００７１】
例えば、モータ５４を駆動させると、送りネジ４８が回転する。これによって、基台４７のナット部が送りネジ４８に送られるので、基台４７は上下方向（Ｙ方向）に移動する。例えば、このとき、基台４７の移動にともなって、基台４７のボールブッシュはそれぞれシャフト４９及びシャフト５０上を摺動する。例えば、送りネジ４８がモータ５４により回転しても、基台４３にはベアリングによってモータ５４の駆動が伝達されず、基台４３及び基台３３は上下方向（Ｙ方向）に移動しない。例えば、眼鏡支持ユニット２０は、このように基台４７を移動させることによって、測定部７に対して上下方向に移動させることができる。
【００７２】
＜制御部＞
図１１は、眼鏡マッピング情報取得装置１における制御系を示す図である。例えば、制御部６０には、ディスプレイ３、操作ボタン４、光源１１（第１光源１１ａと第２光源１１ｂ）、受光素子１６、駆動部３０が備えるモータ（例えば、モータ３６、モータ４０、モータ５４等）、メモリ６１等が接続されている。
【００７３】
例えば、制御部６０は、ＣＰＵ（プロセッサ）、ＲＡＭ、ＲＯＭ等を備える。例えば、ＣＰＵは、眼鏡マッピング情報取得装置１における各部材の駆動を制御する。また、例えば、ＣＰＵは、各種の演算処理（例えば、レンズ特性の算出等）を行う。例えば、ＲＡＭは、各種の情報を一時的に記憶する。例えば、ＲＯＭには、ＣＰＵが実行するプログラム等が記憶されている。なお、制御部６０は、複数の制御部（つまり、複数のプロセッサ）によって構成されてもよい。
【００７４】
例えば、メモリ６１は、電源の供給が遮断されても記憶内容を保持できる非一過性の記憶媒体である。例えば、メモリ６１としては、ハードディスクドライブ、フラッシュＲＯＭ、及び眼鏡マッピング情報取得装置１に着脱可能に装着されるＵＳＢメモリ等を使用することができる。例えば、メモリ６１には、０Ｄ基準状態の測定指標像、測定したレンズ特性等が記憶される。
【００７５】
＜制御動作＞
上記の構成を備える眼鏡マッピング情報取得装置１について、その制御動作を説明する。例えば、本実施例における眼鏡マッピング情報取得装置１は、第１光源１１ａが照射される第１モードと、第２光源１１ｂが照射される第２モードと、を備える。例えば、第１モードは、レンズＬＥのレンズ特性を取得する際に選択される。例えば、第１モード選択時には、第１光源１１ａの照射により、指標板１３に測定指標７０が現れる。従って、スクリーン１４には、測定指標像８０と、眼鏡Ｆのフレーム像Ｆｐと、が投影される。例えば、第２モードは、眼鏡Ｆと測定光学系１０を位置合わせする際や、眼鏡Ｆのフレーム画像９０（図１４参照）を取得する際に選択される。例えば、第２モード選択時には、第２光源１１ｂの照射により、指標板１３に測定指標７０が現れない。従って、スクリーン１４には、眼鏡Ｆのフレーム像Ｆｐのみが投影される。例えば、このような測定モードの切換えは、制御部６０によって自動的に行われる。もちろん、操作者が手動で測定モードを切換える構成としてもよい。
【００７６】
以下、図１２に示すフローチャートを用いて順に説明する。例えば、本実施例においては、装用者の眼鏡に累進レンズが枠入れされている場合を例に挙げる。もちろん、眼鏡マッピング情報取得装置１は、眼鏡に枠入れされたその他のレンズ（例えば、単焦点レンズや二重焦点レンズ等）を測定することも可能である。また、例えば、本実施例では、眼鏡Ｆの左リムＦＲＬに対する制御動作のみを記載し、眼鏡Ｆの右リムＦＲＲに対する制御動作は省略する。なお、眼鏡Ｆの右リムＦＲＲに対する制御動作は、眼鏡Ｆの左リムＦＲＬに対する制御動作と同様に考えることができる。
【００７７】
まず、操作者は、装用者から眼鏡を受け取って、装用者が現在装用している眼鏡Ｆの眼鏡画像（図１８に示す第１眼鏡画像１００ａ参照）を取得する。例えば、操作者は、受け取った眼鏡Ｆを眼鏡支持ユニット２０に載置し、ディスプレイ３に表示された操作ボタン４の中から、累進レンズの測定を開始するための図示なき開始ボタンを選択する。例えば、これによって、制御部６０は第２モードを設定し、第２光源１１ｂを点灯させて、レンズＬＥに向けて測定光束を照射する。
【００７８】
＜眼鏡と測定光学系の位置合わせ（Ｓ１）＞
例えば、制御部６０は、測定部７と眼鏡支持ユニット２０とが所定の位置関係となるように、これらを初期位置に移動させる。例えば、本実施例における初期位置とは、測定光学系１０の光軸Ｌ１が、レンズＬＥの中央付近を通過するような位置である。
【００７９】
まず、例えば、制御部６０は、眼鏡支持ユニット２０を左右方向に移動させる。例えば、眼鏡支持ユニット２０は、装用者の瞳孔間距離（すなわち、装用者の左瞳孔間距離と右瞳孔間距離の和）に基づいて、その左右方向における移動量が設定される。例えば、装用者の瞳孔間距離は、眼鏡装用画像解析装置（例えば、特開２０１５−１７９２５４号公報参照）やＰＤメータ等を用いて、予め取得しておくようにしてもよい。例えば、制御部６０は、前方支持部２１の左右中央と、測定部７の左右中央と、が一致する位置を基点として、左瞳孔間距離だけ眼鏡支持ユニット２０を右方向に移動させる。これにより、測定光学系１０の光軸Ｌ１が、眼鏡Ｆの左リムＦＲＬに枠入れされたレンズＬＥの左右中央付近に位置合わせされる。なお、例えば、制御部６０は、装用者の平均的な瞳孔間距離に基づいて、眼鏡支持ユニット２０を左右方向に移動させるようにしてもよい。
【００８０】
次いで、例えば、制御部６０は、眼鏡支持ユニット２０を上下方向に移動させる。例えば、制御部６０は、スクリーン１４に投影された眼鏡Ｆのフレーム像ＦｐにおけるリムＦＲの上端像ＦＲｕと下端像ＦＲｄの双方を受光素子１６が検出できるように、眼鏡支持ユニット２０を上下方向に移動させる。例えば、制御部６０は、受光素子１６が撮影した受光画像６５（図１３参照）を画像処理することによって、リムＦＲの上端像ＦＲｕと下端像ＦＲｄを検出する。例えば、この場合、制御部６０は、エッジ検出を行って、受光画像６５における輝度の立ち上がりや立ち下がりを検出する構成であってもよい。
【００８１】
例えば、図１３は第２モード設定時の受光画像６５の一例を示す図である。図１３（ａ）は、リムＦＲの上端像ＦＲｕのみを含む受光画像６５である。図１３（ｂ）は、リムＦＲの下端像ＦＲｄのみを含む受光画像６５である。図１３（ｃ）は、リムＦＲの上端像ＦＲｕと下端像ＦＲｄの双方を含む受光画像６５である。例えば、眼鏡Ｆのフレーム像Ｆｐは、受光画像６５上において影となって現れる。このため、本実施例においては、フレーム像Ｆｐが位置する部分の輝度が、フレーム像Ｆｐの周辺部分の輝度に対して小さく（暗く）なる。すなわち、眼鏡Ｆのフレーム像Ｆｐが位置する部分では、受光画像６５の輝度が立ち下がる。
【００８２】
例えば、制御部６０は、受光画像６５の左右中央に位置する中央線６６において、上下方向の輝度の立ち下がりを検出する。また、例えば、制御部６０は、中央線６６から左方向に所定の距離だけ離れた位置にある走査線６７と、中央線６６から右方向に所定の距離だけ離れた位置にある走査線６８と、の少なくともいずれかを走査し、上下方向の輝度の立ち下がりを検出する。例えば、所定の距離は、操作者が任意の距離を設定する構成であってもよい。また、例えば、所定の距離は、実験やシミュレーション等により、種々の眼鏡に対応できる距離が予め設定された構成としてもよい。なお、以下の説明では、制御部６０が、中央線６６と走査線６７とにおける輝度の立ち下がりを検出した場合の処理を例に挙げる。
【００８３】
例えば、制御部６０は、受光画像６５において、中央線６６の輝度の立ち下がり位置が、走査線６７の輝度の立ち下がり位置よりも下であったときに、検出した眼鏡Ｆのフレーム像ＦｐがリムＦＲの上端像ＦＲｕであると判定し、眼鏡支持ユニット２０を下方向に移動させる。また、例えば、制御部６０は、受光画像６５において、中央線６６の輝度の立ち下がり位置が、走査線６７の輝度の立ち下がり位置よりも上であったときに、検出した眼鏡Ｆのフレーム像ＦｐがリムＦＲの下端像ＦＲｄであると判定し、眼鏡支持ユニット２０を上方向に移動させる。また、例えば、制御部６０は、受光画像６５において、中央線６６の輝度の立ち下がり位置が２箇所現れたときに、リムＦＲの上端像ＦＲｕと下端像ＦＲｄの双方を検出したと判定し、眼鏡支持ユニット２０の上下方向の移動を終了する。これにより、測定光学系１０の光軸Ｌ１が、レンズＬＥの上下中央付近に位置合わせされる。なお、受光画像６５は動画像であってもよく、この場合には、動画像処理によりリアルタイムで眼鏡Ｆのフレーム像Ｆｐの移動を捉えてもよい。
【００８４】
次いで、例えば、制御部６０は、眼鏡支持ユニット２０を前後方向に移動させる。例えば、制御部６０は、当接ピン６がレンズＬＥの後面に当接するように、眼鏡支持ユニット２０を前後方向に移動させる。例えば、当接ピン６には、レンズＬＥとの当接を検知することが可能な図示なきセンサが設けられている。例えば、図示なきセンサとしては、圧力センサや接触センサ等を用いることができる。例えば、圧力センサの場合には、外部からの圧力に応じて、センサ内を流れる電気抵抗値が変化する。例えば、メモリ６１には、外部からの圧力がない状態（すなわち、当接ピン６とレンズＬＥが当接していない状態）における電気抵抗値が予め記憶されていてもよい。例えば、制御部６０は、変化した電気抵抗値と、予め記憶された電気抵抗値と、を比較することにより、当接ピン６がレンズＬＥに当接したことを判断し、眼鏡支持ユニット２０の前後方向における移動を終了する。
【００８５】
例えば、上述のようにして眼鏡支持ユニット２０を初期位置へ移動させると、スクリーン１４には、リムＦＲの上端像ＦＲｕとリムＦＲの下端像ＦＲｄが投影される。例えば、制御部６０は、スクリーン１４に投影された眼鏡Ｆのフレーム像Ｆｐを受光素子１６で受光し、これによって得られた受光画像（すなわち、図１３（ｃ）の状態における受光画像６５）を用いて、眼鏡Ｆのフレーム画像９０（図１４参照）を取得する。
【００８６】
＜フレーム画像の取得（Ｓ２）＞
図１４は眼鏡Ｆのフレーム画像９０を示す図である。例えば、制御部６０は、受光画像６５から眼鏡Ｆのフレーム像Ｆｐを抽出した画像を、眼鏡Ｆのフレーム画像９０として取得する（Ｓ２）。例えば、本実施例では、制御部６０が受光画像６５を画像処理することで、眼鏡Ｆのフレーム像Ｆｐを抽出する。より詳細には、例えば、制御部６０は、受光画像６５の各画素位置に対して輝度値を取得し、輝度値に基づいて眼鏡Ｆのフレーム像Ｆｐを抽出する。例えば、この場合、制御部６０は、予め実験やシミュレーション等から設定された閾値未満の輝度値となった画素位置が、眼鏡Ｆのフレーム像Ｆｐであると判定してもよい。もちろん、制御部６０は、検出した輝度値を閾値に基づいて二値化することで、フレーム像Ｆｐの抽出精度を向上させてもよい。例えば、これによって、制御部６０は眼鏡Ｆのフレーム画像９０を取得することができる。例えば、眼鏡Ｆのフレーム画像９０は、メモリ６１に記憶される。
【００８７】
例えば、図１５は第１モード設定時の受光画像６９を示す図である。例えば、制御部６０は、眼鏡Ｆのフレーム画像９０を取得すると、測定モードを第２モードから第１モードへと切換える。これによって、第１光源１１ａが点灯し、レンズＬＥに向けて測定光束が照射される。例えば、スクリーン１４には、リムＦＲの上端像ＦＲｕとリムＦＲの下端像ＦＲｄ、及びレンズＬＥと指標板１３を通過した測定指標像８０が投影される（図５（ｂ）参照）。例えば、制御部６０は、受光素子１６が撮影した受光画像６９を取得する。
【００８８】
＜レンズ特性の取得（Ｓ３）＞
例えば、制御部６０は、受光画像６９における周辺指標像８２の間隔や変形量等から、レンズＬＥのレンズ特性を測定する（Ｓ３）。例えば、指標板１３と、眼鏡Ｆのフレームと、が前後方向に重なる部分では、眼鏡Ｆのフレームにより測定光束が遮られてしまうため、スクリーン１４に投影される周辺指標像８２の一部が欠ける場合がある。すなわち、眼鏡Ｆのフレーム像Ｆｐの周囲に位置する周辺指標像８２は、フレーム像Ｆｐと周辺指標像とが重なって、円形状ではない点（例えば、半円状に欠けた点等）となる場合がある。例えば、眼鏡Ｆのフレーム像Ｆｐよりも内側の領域においては、レンズＬＥのレンズ特性が得られるが、眼鏡Ｆのフレーム像Ｆｐよりも外側の領域においては、概略０Ｄのレンズ特性が得られる。
【００８９】
このため、例えば、制御部６０は、眼鏡Ｆのフレーム像Ｆｐよりも内側の領域において、レンズＬＥのレンズ特性を演算するようにしてもよい。なお、制御部６０は、眼鏡Ｆのフレーム像Ｆｐにより欠けた周辺指標像と、眼鏡Ｆのフレーム像Ｆｐと重なって見えない周辺指標像と、の位置関係を周囲の周辺指標像８０から予測し、これらを用いてレンズ特性を演算するようにしてもよい。例えば、制御部６０は、レンズＬＥのレンズ特性を測定すると、メモリ６１にその結果を記憶させる。
【００９０】
＜マッピング画像の取得（Ｓ４）＞
例えば、制御部６０は、測定光学系１０により測定されたレンズ特性に基づいて、レンズ特性を示すマッピング画像９５を取得する（Ｓ４）。図１６はマッピング画像９５の一例を示す図である。図１６（ａ）は球面度数Ｓに基づいた等度数線９６を作成したマッピング画像９５であり、図１６（ｂ）は円柱度数Ｃに基づいた等度数線９６を作成したマッピング画像９５である。なお、本実施例においては説明を省略するが、制御部６０は、乱視軸角度Ａやプリズム量Δ等に基づいた等度数線を作成したマッピング画像を取得するようにしてもよい。
【００９１】
例えば、等度数線９６とは、球面度数Ｓ、あるいは円柱度数Ｃの測定結果が等しい測定位置を結んだ曲線である。例えば、制御部６０は、受光画像６９上において、複数箇所の球面度数Ｓに基づいた等度数線９６を作成する。同様に、例えば、制御部６０は、受光画像６９上において、複数箇所の円柱度数Ｃに基づいた等度数線９６を作成する。例えば、等度数線９６は、所定の度数間隔（例えば、０．２５Ｄ間隔、０．５Ｄ間隔等）で作成される。すなわち、等度数線９６は、受光画像６９上に複数作成される。このため、操作者は、累進レンズにおける度数の変化を視覚的に把握することができる。
【００９２】
例えば、本実施例では、受光画像６９上に等度数線９６を作成した画像が、レンズＬＥのレンズ特性を示すマッピング画像９５として取得される。例えば、制御部６０は、このようなマッピング画像９５をメモリ６１に記憶させる。なお、例えば、制御部６０は、受光画像６９上においてレンズ特性が等しい領域を色分け等したグラフィックを作成し、これをマッピング画像としてメモリ６１に記憶する構成としてもよい。
【００９３】
＜眼鏡画像の取得（Ｓ５）＞
例えば、制御部６０は、マッピング画像９５と眼鏡Ｆのフレーム画像９０とを関連付ける。また、例えば、制御部６０は、マッピング画像９５とフレーム画像９０とを関連付けた眼鏡画像１００を取得する（Ｓ５）。なお、例えば、本実施例においては、制御部６０がマッピング画像９５とフレーム画像９０とを重畳することにより関連付け、マッピング画像９５とフレーム画像９０とを重畳した眼鏡画像１００を取得する場合を例に挙げる。
【００９４】
図１７はマッピング画像９５とフレーム画像９０とを重畳した眼鏡画像１００の一例である。例えば、マッピング画像９５とフレーム画像９０とは、受光素子１６が撮影した受光画像６５及び受光画像６９に基づいて取得されている。このため、これらの画像における画素数は同一（すなわち、pixel to pixel）であり、マッピング画像９５の各画素位置は、フレーム画像９０の各画素位置に対応している。例えば、制御部６０は、マッピング画像９５の各画素位置と、フレーム画像９０の各画素位置と、が一致するように、これらの画像を重畳させる。なお、本実施例においては、上述したように、眼鏡Ｆのフレーム像Ｆｐよりも内側の領域におけるレンズ特性が取得され、これに対する等度数線９６が作成されている。従って、マッピング画像９５と、フレーム画像９０と、を重畳することで、フレーム像Ｆｐの内側の領域に等度数線９６を重畳した眼鏡画像１００を取得することができる。例えば、取得した眼鏡画像１００はメモリ６１に記憶される。
【００９５】
例えば、操作者は、眼鏡マッピング情報取得装置１を用いて、上記のように装用者が現在装用している眼鏡に対する眼鏡画像を取得することができる。この後、操作者は、眼鏡レンズ加工装置等を用いて、装用者が選択した眼鏡Ｆのフレームに、装用者に適した累進レンズを枠入れし、新しい眼鏡Ｆを作製する。また、例えば、操作者は、上記の操作と同様にして、装用者が新しく作製した眼鏡に対する眼鏡画像（図１８に示す第２眼鏡画像１００ｂ参照）を取得する。例えば、操作者は、複数の眼鏡画像１００を取得すると、ディスプレイ３に表示された操作ボタン４の中から、図示なき比較表示ボタンを選択する。例えば、これによって、制御部６０は複数の眼鏡画像を出力する。
【００９６】
＜眼鏡画像の出力（Ｓ６）＞
例えば、制御部６０は、取得した複数の眼鏡画像１００を比較可能に出力する（Ｓ６）。例えば、複数の眼鏡画像とは、少なくとも２枚以上の眼鏡画像であればよい。また、例えば、複数の眼鏡画像とは、レンズ特性と、フレームと、マッピング画像９５とフレーム画像９０との位置関係と、の少なくともいずれかが異なる眼鏡画像であってもよい。例えば、本実施例における制御部６０は、装用者が現在装用している眼鏡に対する第１眼鏡画像１００ａと、装用者が新しく作製した眼鏡に対する第２眼鏡画像１００ｂと、の２枚の眼鏡画像を比較可能に出力する。
【００９７】
例えば、複数の眼鏡画像は、ディスプレイやタブレット端末等への表示、プリンタ等を用いた印刷、外部メモリ（例えば、ＵＳＢメモリ等）への保存、等により比較可能に出力される。なお、本実施例においては、制御部６０が複数の眼鏡画像１００をディスプレイ３に比較可能に表示する場合を例に挙げる。
【００９８】
図１８はディスプレイ３に表示される比較画像１１０の一例を示す図である。図１８（ａ）は複数の眼鏡画像における比較画像１１０であり、図１８（ｂ）は複数の眼鏡画像に標識マーク１２０を重畳した比較画像１１０である。例えば、本実施例における比較画像１１０は、第１眼鏡画像１００ａと第２眼鏡画像１００ｂとを含み、これらの眼鏡画像が並列表示される。
【００９９】
なお、例えば、比較画像１１０には、複数の眼鏡画像１００における少なくとも１つの眼鏡画像に、装用者のアイポイントデータに基づく標識マーク１２０が重畳されていてもよい（図１８（ｂ）参照）。例えば、標識マーク１２０は、装用者のアイポイント位置を示すアイポイントマーク１２１や、アイポイント位置を基準として算出される遠用アイポイントマーク１２２と近用アイポイントマーク１２３等である。例えば、装用者のアイポイント位置は、別の装置（例えば、眼鏡装用画像解析装置等）を用いて予め測定しておいてもよい。また、例えば、装用者のアイポイント位置は、ペン等を用いてレンズＬＥ上における装用者の瞳孔位置に印を付け、その位置を定規等により測定するようにしてもよい。
【０１００】
例えば、制御部６０は、操作者が操作ボタン４から入力した測定値等からアイポイント位置を取得し、遠用アイポイント位置と近用アイポイント位置をそれぞれ計算する。また、例えば、制御部６０は、アイポイントマーク１２１、遠用アイポイントマーク１２２、近用アイポイントマーク１２３等の標識マーク１２０を眼鏡画像１００とともに出力する。
【０１０１】
例えば、眼鏡画像１００は、眼鏡支持ユニット２０を装用者の瞳孔間距離に基づいて移動させた際の受光画像から作成されているので、装用者のアイポイント位置は、眼鏡画像１００の左右中央上に位置している。例えば、制御部６０は、眼鏡画像１００の左右中央に対してエッジ検出等の画像処理を行い、リムＦＲの下端を検出する。また、例えば、制御部６０は、リムＦＲの下端から瞳孔位置までの距離（すなわち、ＰＤ高さ）に基づいて、アイポイント位置を決定する。例えば、眼鏡画像１００において実際のＰＤ高さが対応する画素数は、予め実験やシミュレーション等により設定されていてもよい。これによって、眼鏡画像上におけるアイポイント位置がわかり、標識マーク１２０を眼鏡画像１００に重畳して出力させることができる。
【０１０２】
例えば、このように比較画像１１０がディスプレイ３に表示されることで、操作者は装用者が現在装用している眼鏡と、装用者が新しく作製した眼鏡と、におけるレンズ特性の違いを視覚的に把握することができるようになる。また、操作者は、装用者が現在装用している眼鏡と、装用者が新しく作製した眼鏡と、における遠用部や近用部の位置の変化や、歪みの違いによる見え具合の変化等を、わかりやすく装用者に伝えることができるようになる。
【０１０３】
上記の説明においては、装用者が現在装用している眼鏡と、作製し終えた眼鏡と、における眼鏡画像を取得し、これを比較する場合を例に挙げた。例えば、眼鏡マッピング情報取得装置１は、装用者が新しく作製する予定の眼鏡Ｆにおけるレンズ特性とフレームとの位置関係を示す眼鏡画像を取得し、これを現在装用している眼鏡の眼鏡画像と比較してもよい。以下では、このような場合における眼鏡マッピング情報取得装置１の制御動作を説明する。
【０１０４】
例えば、操作者は、前述のようにして、装用者が現在装用している眼鏡Ｆの眼鏡画像１００ａを取得する。また、例えば、操作者は、装用者が新たな眼鏡を作製するために選択した眼鏡Ｆを装用者に装用させ、眼鏡装用画像解析装置等を用いて、眼鏡装用パラメータを測定する。例えば、これによって、眼鏡Ｆに対する装用者の瞳孔位置が検出され、装用者のアイポイント位置を取得することができる。例えば、操作者が操作ボタン４から測定値を入力すると、制御部６０はその測定値をメモリ６１に記憶させる。
【０１０５】
次いで、操作者は、装用者が新たな眼鏡を作製するために選択した眼鏡Ｆのフレーム画像と、装用者に提供する累進レンズのマッピング画像と、を取得する。例えば、操作者は、複数の眼鏡のフレーム画像が予め蓄積されたデータベースから、装用者が選択した眼鏡Ｆのフレームに該当するフレーム画像９０ａ（図１９における点線部）を選択する。例えば、フレーム画像のデータベースは、複数の眼鏡において、それぞれのフレーム形状を測定することで予めフレーム画像を取得し、これらの画像を用いて作成しておいてもよい。例えば、制御部６０は、フレーム画像９０ａ（図１９参照）が選択されると、メモリ６１に記憶された測定値を用いて、フレーム画像９０ａ上における装用者のアイポイント位置ｉ１を計算する。なお、例えば、フレーム画像のデータベースは、フレームを製造する際に用いるフレーム設計データに基づいて作成されてもよく、本実施例に限定されない。
【０１０６】
また、例えば、操作者は、レンズ（例えば、本実施例においては生地レンズ）のレンズ特性を示す複数のマッピング画像が予め蓄積されたデータベースから、装用者に提供する累進レンズのマッピング画像９５ａ（図１９参照）を選択する。例えば、マッピング画像のデータベースは、複数のレンズにおいて、それぞれのレンズ特性を測定することで予めマッピング画像を取得し、これらの画像を用いて作成しておいてもよい。
【０１０７】
なお、例えば、このようなマッピング画像は、本実施例において説明した眼鏡マッピング情報取得装置１を用いて取得されてもよい。また、例えば、このようなマッピング画像は、隠しマークの検出が可能な光学系が別途設けられた眼鏡マッピング情報取得装置１を用いて取得されてもよいし、隠しマークの検出が可能な光学系と、測定光学系１０と、が兼用された眼鏡マッピング情報取得装置１を用いて取得されてもよい。もちろん、このようなマッピング画像は、別の装置を用いて取得されてもよい。
【０１０８】
例えば、データベース上のマッピング画像には、レンズ特性とともにレンズのアイポイント位置ｉ２が記憶されていてもよい。例えば、レンズのアイポイント位置ｉ２は、レンズに施された隠しマークの位置から求めることができる。このため、例えば、マッピング画像は、隠しマークの検出が可能な光学系を眼鏡マッピング情報取得装置１に設け、これを用いて取得してもよい。また、例えば、マッピング画像は、隠しマークの検出が可能な光学系と、測定光学系１０と、が兼用された眼鏡マッピング情報取得装置１を用いて取得してもよい。もちろん、マッピング画像は、隠しマークの検出が可能な光学系を備えた別の装置を用いて取得してもよい。例えば、制御部６０は、マッピング画像９５ａ上におけるレンズのアイポイント位置ｉ２を計算する。
【０１０９】
なお、例えば、マッピング画像のデータベースは、レンズを製造する際に用いるレンズ設計データに基づいて作成されていてもよい。この場合、レンズのアイポイント位置ｉ２はレンズ設計データから求めることができるので、マッピング画像とともにレンズのアイポイント位置を記憶しておくことができる。
【０１１０】
例えば、制御部６０は、該当する眼鏡Ｆのフレーム画像９０ａと、装用者に提供する累進レンズのマッピング画像９５ａと、をそれぞれのデータベースから取り込む。また、例えば、制御部６０は、眼鏡Ｆのフレーム画像９０ａにおけるアイポイント位置ｉ１と、累進レンズのマッピング画像９５ａにおけるアイポイント位置ｉ２と、が一致するように、フレーム画像９０ａとマッピング画像９５ａとを重畳させる。これによって、制御部６０は、装用者が新しく作製する予定の眼鏡Ｆにおけるレンズ特性とフレームとの位置関係を示す眼鏡画像１００ｃを取得する。
【０１１１】
例えば、制御部６０は、それぞれの眼鏡画像を取得すると、前述のようにして、装用者が現在装用している眼鏡の眼鏡画像１００ａと、装用者が新しく作製する予定の眼鏡Ｆにおける眼鏡画像１００ｃと、を比較可能に出力する。図１９は比較画像１１０の変容例を示す図である。例えば、ディスプレイ３には、眼鏡画像１００ａと眼鏡画像１００ｃが並列表示される。なお、本実施例では図示を省略するが、これらの画像には標識マーク１２０が重畳して表示されてもよい。
【０１１２】
例えば、このように比較画像１１０がディスプレイ３に表示されることで、操作者は、累進レンズの遠用部や近用部がフレーム内におさまるかを判断することができる。遠用部や近用部がフレーム内におさまらないときは、選択した累進レンズを変更すること、あるいは選択した眼鏡フレームを変更することを装用者に提案してもよい。また、遠用部や近用部がフレーム内におさまらないときは、フレームに対するレンズ特性の配置を調整してもよい。例えば、この場合には、比較画像１１０に表示される移動ボタン１１１を操作することで、眼鏡Ｆのフレーム画像９０ａと、累進レンズのマッピング画像９５ａと、の少なくともいずれか一方を移動させてもよい。
【０１１３】
例えば、操作者は、装用者が新しく作製する予定の眼鏡Ｆにおいて、レンズ特性とフレームとの位置関係を決定し、操作ボタン４の中から図示なき決定ボタンを選択する。例えば、決定ボタンが選択されると、制御部６０は眼鏡画像１００ｃにおけるレンズ特性とフレームとの位置関係に関するデータを出力する。例えば、操作者は、このデータを眼鏡レンズ加工装置等で用いることで、装用者が選択した眼鏡Ｆのフレームに累進レンズを枠入れし、新しい眼鏡Ｆを作製する。なお、この後、操作者は、眼鏡マッピング情報取得装置１を用いて、作製した眼鏡に対する眼鏡画像１００ｂを取得し、装用者が現在装用している眼鏡との見え具合等の違いや、予定通りの眼鏡が作製できたかどうかを確認してもよい。
【０１１４】
なお、上記においては、装用者が現在装用している眼鏡と、新しく作製する予定の眼鏡と、における眼鏡画像を出力する構成を例に挙げて説明したがこれに限定されない。例えば、装用者が選択した眼鏡フレームが複数ある場合等には、レンズのマッピング画像と、複数のフレーム画像と、をそれぞれ組み合わせた眼鏡画像を取得して、これらを比較可能に出力する構成としてもよい。例えば、これによって、同じ累進レンズであっても、一方の眼鏡フレームでは近用部がおさまらず、もう一方の眼鏡フレームでは近用部がおさまる等といったレンズ特性の位置関係を把握することができる。従って、操作者は、装用者に適した方の眼鏡フレームを選択して、眼鏡を作製することができる。
【０１１５】
以上説明したように、例えば、本実施例における眼鏡マッピング情報取得装置１は、レンズ特性を示すマッピング画像と、眼鏡のフレーム画像と、をそれぞれ取得し、マッピング画像とフレーム画像とを関連付けた眼鏡画像を取得する。これによって、操作者は、フレームに対してレンズ特性がどのように位置しているかを把握することができる。また、眼鏡マッピング情報取得装置１は、レンズ特性と、フレームと、マッピング画像とフレーム画像との位置関係と、の少なくともいずれかが異なる複数の眼鏡画像を比較可能に出力する。これによって、操作者は、眼鏡フレームとレンズとの良好な組み合わせを選択することができる。また、操作者は、眼鏡の違いによる見え具合等の変化を容易に比較することができる。
【０１１６】
また、例えば、本実施例における眼鏡マッピング情報取得装置は、マッピング画像とフレーム画像とを重畳した眼鏡画像を取得する。これによって、操作者は、眼鏡フレームとレンズとの位置関係が良好であるかを判断することができる。また、操作者は、フレームに対するレンズ特性の位置を容易に判断することができる。特に、累進レンズを測定した場合には、その遠用部や近用部がフレーム内におさまっているかを容易に判断することができる。
【０１１７】
また、例えば、本実施例における眼鏡マッピング情報取得装置は、複数の眼鏡画像を並列して出力する。これによって、操作者は、複数の眼鏡画像から、眼鏡フレームとレンズとが良好な組み合わせを容易に検討することができる。また、操作者は、複数の眼鏡画像から、レンズ特性や見え具合等がどのように変化したかを把握しやすくなる。また、操作者は、装用者にレンズ特性や見え具合等の違いを説明しやすくなる。
【０１１８】
また、例えば、本実施例における眼鏡マッピング情報取得装置は、複数の眼鏡画像を比較可能に表示する。これにより、操作者は、眼鏡画像同士を比較し、眼鏡フレームとレンズとの良好な組み合わせを選択することができる。また、操作者は、眼鏡画像同士を比較し、レンズ特性や見え具合等の違いを容易に理解できるようになる。
【０１１９】
また、例えば、本実施例における眼鏡マッピング情報取得装置は、装用者のアイポイントデータを取得し、アイポイントデータに基づく標識マークを複数の眼鏡画像における少なくとも１つの眼鏡画像に重畳させる。また、本実施例における眼鏡マッピング情報取得装置は、複数の眼鏡画像を比較可能に出力するとともに、少なくとも１つの眼鏡画像に重畳された標識マークを出力する。これによって、操作者は、装用者のアイポイント位置等が眼鏡のフレームに対してどこに位置するかを把握し、装用者にとって良好な眼鏡フレームとレンズの組み合わせであるかを容易に判断することができる。
【０１２０】
＜変容例＞
なお、本実施例においては、マッピング画像と、フレーム画像と、をそれぞれデータベースから取り込むことにより、装用者が新しく作製する予定の眼鏡Ｆにおけるレンズ特性とフレームとの位置関係を示す眼鏡画像を取得する構成を例に挙げて説明したがこれに限定されない。例えば、このような眼鏡画像を取得する際には、マッピング画像とフレーム画像との少なくとも一方をデータベースから取り込み、他方を測定により取得するようにしてもよい。もちろん、マッピング画像と、フレーム画像と、の双方を測定により取得する構成であってもよい。
【０１２１】
例えば、フレーム画像をデータベースから取り込み、マッピング画像を測定により取得する場合、操作者は装用者が選択した眼鏡Ｆのフレームに該当するフレーム画像をデータベースの中から選択する。例えば、制御部６０は、フレーム画像９０ａをデータベースから取り込み、上記と同様にしてフレーム画像９０ａ上における装用者のアイポイント位置ｉ１を計算する。また、例えば、操作者は、眼鏡マッピング情報取得装置１を用いて、装用者に提供する累進レンズのレンズ特性を測定する。例えば、制御部６０は、レンズのレンズ特性を測定した結果を用いて、レンズの幾何学中心位置Ｏ（図２０参照）を求めるようにしてもよい。これによって、レンズのレンズ特性を示すマッピング画像９５ａとともに、マッピング画像９５ａ上におけるレンズの幾何学中心位置Ｏが取得される。なお、眼鏡マッピング情報取得装置１は、前述のようにマッピング画像９５ａ上のアイポイント位置ｉ２を求める構成であってもよい。
【０１２２】
図２０は眼鏡画像１００ｄの一例である。例えば、制御部６０は、眼鏡Ｆのフレーム画像９０ａにおけるアイポイント位置ｉ１と、累進レンズのマッピング画像９５ａにおける幾何学中心位置Ｏと、が一致するように、フレーム画像９０ａとマッピング画像９５ａとを重畳させる。これによって、制御部６０は、装用者が新しく作製する予定の眼鏡Ｆにおけるレンズ特性とフレームとの位置関係を示す眼鏡画像１００ｄを取得するようにしてもよい。
【０１２３】
例えば、制御部６０は、装用者が現在装用している眼鏡に対する眼鏡画像１００ａと、装用者が新しく作製する予定の眼鏡に対する眼鏡画像１００ｄと、のそれぞれの眼鏡画像を取得すると、眼鏡画像１００ａと眼鏡画像１００ｄとを上記と同様にして比較可能に出力する。もちろん、操作者は、ディスプレイ３をみながら移動ボタン１１１（図１９参照）を操作し、フレーム画像９０ａとマッピング画像９５ａとの少なくともいずれか一方を移動させてもよい。例えば、これによって、眼鏡画像１００ｄにおけるフレーム画像９０ａとマッピング画像９５ａの重畳位置が変更されるので、制御部６０は、レンズ特性とフレームとの位置関係を変更したデータを出力してもよい。
【０１２４】
なお、例えば、マッピング画像をデータベースから取り込み、フレーム画像を測定により取得する場合であっても、マッピング画像９５ａ上の幾何学中心位置Ｏまたはアイポイント位置ｉ２と、フレーム画像９０ａ上のアイポイント位置ｉ１と、を用いて、これらの画像を重畳させて比較可能に出力することができる。
【０１２５】
なお、本実施例においては、フレーム画像とマッピング画像とを重畳する際に、アイポイント位置（すなわち、アイポイント位置ｉ１及びｉ２）や幾何学中心位置Ｏを基準とし、これらを一致させる構成を例に挙げて説明したがこれに限定されない。例えば、フレーム画像とマッピング画像とを重畳させる際の基準は、フレーム画像とマッピング画像との少なくともいずれか一方を移動させた場合に、これらの画像の位置関係がどのように変化したのかを判定できればどこであってもよい。例えば、フレーム画像とマッピング画像とを重畳させる際の基準は、眼鏡Ｆにおけるフレームのボクシング中心位置等であってもよい。例えば、この場合には、フレーム画像上のボクシング中心位置と、マッピング画像上のアイポイント位置ｉ２と、が一致するように重畳させる構成が挙げられる。また、例えば、この場合には、フレーム画像上のボクシング中心位置と、マッピング画像上の幾何学中心位置Ｏと、が一致するように重畳させる構成が挙げられる。
【０１２６】
なお、本実施例においては、眼鏡Ｆのフレーム画像９０を取得する際に、測定光学系１０が備える受光素子１６が撮影した受光画像６５を用いる構成を例に挙げて説明したがこれに限定されない。例えば、眼鏡Ｆのフレーム画像９０は、測定光学系１０とは異なる眼鏡撮像用の光学系（以下、眼鏡撮影光学系と称す）を設け、これを用いて取得するようにしてもよい。例えば、眼鏡撮影光学系は、少なくともレンズと受光素子により構成され、眼鏡Ｆの前面（すなわち、眼鏡Ｆに枠入れされたレンズＬＥの凸面側）から眼鏡Ｆを撮影する。例えば、これによって、制御部６０は、眼鏡Ｆの左リムＦＲＬと、眼鏡Ｆの右リムＦＲＲと、を撮影した１枚の画像を取得するようにしてもよい。もちろん、制御部６０は、眼鏡Ｆの左リムＦＲＬと、眼鏡Ｆの右リムＦＲＲと、をそれぞれ撮影して、２枚の画像を取得するようにしてもよい。例えば、制御部６０は、このように取得した画像を画像処理することで、眼鏡Ｆのフレーム画像９０を取得するようにしてもよい。
【０１２７】
例えば、眼鏡撮影光学系により取得されたフレーム画像と、測定光学系１０により取得されたマッピング画像９５と、を重畳させる場合には、これらの画像において基準となる基準位置を設定してもよい。例えば、このような基準位置は、装用者の瞳孔間距離と、装用者のＰＤ高さと、に基づいて設定されてもよい。例えば、制御部６０は、眼鏡撮影光学系が取得したフレーム画像に対しては、ブリッジＦＢの中央から左瞳孔間距離または右瞳孔間距離だけ離れた位置であり、かつリムＦＲの下端からＰＤ高さだけ離れた位置を基準位置として設定する。なお、例えば、眼鏡撮影光学系により取得されたフレーム画像において、実際の瞳孔間距離やＰＤ高さが対応する画素数は、予め実験やシミュレーション等により設定されていてもよい。
【０１２８】
また、例えば、制御部６０は、測定光学系１０が取得したマッピング画像に対しては、マッピング画像の左右中央であり、かつリムＦＲの下端からＰＤ高さだけ離れた位置を、基準位置として設定する。例えば、マッピング画像は、眼鏡支持ユニット２０を瞳孔間距離に基づいて移動させた際の受光画像６９から作成されているので、装用者の瞳孔位置はマッピング画像の左右中央に位置する。なお、例えば、測定光学系により取得されたマッピング画像において、実際のＰＤ高さが対応する画素数は、予め実験やシミュレーション等により設定されていてもよい。
【０１２９】
例えば、制御部６０は、眼鏡撮影光学系により取得されたフレーム画像と、測定光学系１０により取得されたマッピング画像と、におけるそれぞれの基準位置を一致させる。また、例えば、制御部６０は、眼鏡撮影光学系により取得されたフレーム画像と、測定光学系１０により取得されたマッピング画像と、における眼鏡Ｆのフレーム像Ｆｐの大きさが同じとなるように、それぞれの画像を拡大あるいは縮小する。例えば、制御部６０は、このようにして、眼鏡撮影光学系により取得されたフレーム画像と、測定光学系１０により取得されたマッピング画像と、を重畳させるようにしてもよい。
【０１３０】
なお、本実施例においては、測定部７に対して眼鏡支持ユニット２０を移動させることによって、眼鏡Ｆと、測定光学系１０と、を位置合わせする構成を例に挙げて説明したがこれに限定されない。例えば、眼鏡支持ユニット２０を移動させるのではなく、測定部７を移動させることによって、眼鏡Ｆと測定光学系１０とを位置合わせする構成としてもよい。
【０１３１】
なお、本実施例においては、リムＦＲの上端像ＦＲｕと下端像ＦＲｄの双方を受光画像６５から検出できるように、眼鏡Ｆと測定光学系１０とを位置合わせする構成を例に挙げて説明したがこれに限定されない。例えば、リムＦＲの縦幅（すなわち、リムＦＲの上端から下端までの幅）が長い眼鏡Ｆであった場合には、リムＦＲの上端側とリムＦＲの下端側等、複数回に分けて受光画像を取得するようにしてもよい。
【０１３２】
また、本実施例では、受光画像６５に対して、中央線６６と、走査線６７または走査線６８の少なくともいずれかと、における輝度の立ち下がり位置を検出する構成を例に挙げて説明したがこれに限定されない。例えば、制御部６０は、受光画像６５に対して、所定の間隔毎に複数の走査線を設定し、走査線上における輝度の立ち下がり位置を検出してもよい。この場合には、各走査線の輝度の立ち下がりからエッジが検出され、眼鏡Ｆのフレーム像Ｆｐが検出される。例えば、制御部６０は、このようにして得られたフレーム像Ｆｐから、リムＦＲの上端像ＦＲｕ及びリムＦＲの下端像ＦＲｄを判定するようにしてもよい。
【０１３３】
なお、本実施例においては、眼鏡Ｆにおけるフレームの内側の領域においてレンズ特性を取得する構成を例に挙げて説明したがこれに限定されない。例えば、眼鏡マッピング情報取得装置１は、必ずしも本実施例のようにフレームの内側の領域全体を測定しなくてもよい。例えば、この場合、眼鏡マッピング情報取得装置１は、少なくともレンズＬＥの遠用部と、累進帯と、近用部と、を含む領域のレンズ特性を取得する構成であればよい。
【０１３４】
また、本実施例においては、眼鏡Ｆにおけるフレームの内側の領域においてレンズ特性を測定し、マッピング画像９５を取得する構成を例に挙げて説明したがこれに限定されない。例えば、眼鏡Ｆのフレーム像Ｆｐにより欠けた周辺指標像、あるいは見えない周辺指標像を周囲の周辺指標像の間隔等から予測した場合には、眼鏡Ｆのフレーム像Ｆｐよりも内側の領域におけるレンズ特性の他、眼鏡Ｆのフレーム像Ｆｐよりも外側の領域におけるレンズ特性も取得され、等度数線９６が作成される。例えば、この場合には、フレーム像Ｆｐよりも外側の領域についてもマッピング画像９５が表示された眼鏡画像１００を出力してもよい。また、例えば、この場合には、画像処理等を行いフレーム像Ｆｐよりも外側の領域におけるマッピング画像９５を出力しないようにしてもよい。
【０１３５】
なお、例えば、本実施例においては、眼鏡マッピング情報取得装置１が、眼鏡Ｆのマッピング画像９５を取得する構成を例に挙げたがこれに限定されない。例えば、眼鏡マッピング情報取得装置１は、別の装置が取得したマッピング画像を受信する構成であってもよいし、外部メモリに保存されたマッピング画像を読み込む等して取得する構成であってもよい。また、例えば、眼鏡マッピング情報取得装置１は、予めデータベースに蓄積された複数のマッピング画像から、該当するマッピング画像を取り込むことで、マッピング画像を取得する構成であってもよい。
【０１３６】
また、例えば、本実施例においては、眼鏡マッピング情報取得装置１が、眼鏡Ｆのフレーム画像９０を取得する構成を例に挙げたがこれに限定されない。例えば、眼鏡マッピング情報取得装置１は、別の装置を利用して取得したフレーム画像や、フレームの検出結果等を受信する構成であってもよい。また、例えば、眼鏡マッピング情報取得装置１は、外部メモリに保存されたフレーム画像やフレームの検出結果等を読み込む等して眼鏡Ｆのフレーム画像を取得する構成であってもよい。また、例えば、眼鏡マッピング情報取得装置１は、予めデータベースに蓄積された複数のフレーム画像から該当するフレーム画像を取り込むことで、フレーム画像を取得する構成であってもよい。この場合には、眼鏡のフレーム形状を示す情報が、フレーム画像として取得されてもよい。また、この場合には、眼鏡に枠入れされるレンズの形状を示す情報が、フレーム画像として取得されてもよい。
【０１３７】
なお、例えば、本実施例においては、複数のマッピング画像が蓄積されたデータベースが、眼鏡マッピング情報取得装置１が備えるメモリ６１に格納されていてもよいし、別の装置が備えるメモリ（例えば、パーソナルコンピュータのサーバ等）に格納されていてもよい。同様に、本実施例においては、複数のフレーム画像が蓄積されたデータベースが、眼鏡マッピング情報取得装置１が備えるメモリ６１に格納されていてもよいし、別の装置が備えるメモリに格納されていてもよい。
【０１３８】
なお、例えば、本実施例における眼鏡マッピング情報取得装置１は、該当するマッピング画像をマッピング画像データベースから選択するための選択手段を備えていてもよい。また、例えば、本実施例における眼鏡マッピング情報取得装置１は、該当するフレーム画像をフレーム画像データベースから選択するための選択手段を備えていてもよい。
【０１３９】
例えば、このような選択手段は操作部であってもよい。この場合、操作部（例えば、本実施例においてはディスプレイ３）が操作されることにより、データベースから該当するマッピング画像あるいはフレーム画像が選択されてもよい。例えば、制御部６０は、選択された選択信号に基づいて、マッピング画像データベースから該当するマッピング画像を呼び出し、これを取得するようにしてもよい。また、例えば、制御部６０は、選択された選択信号に基づいて、フレーム画像データベースから該当するフレーム画像を呼び出し、これを取得するようにしてもよい。
【０１４０】
また、例えば、このような選択手段は、一次元コード（例えば、バーコード等）や二次元コード（例えば、ＱＲコード（登録商標）等）であってもよい。この場合、一次元コードや二次元コードを読み取ることで、データベースから該当するマッピング画像あるいはフレーム画像が選択されてもよい。例えば、制御部６０は、選択された選択信号に基づいて、コード毎に対応付けられたマッピング画像をマッピング画像データベースから呼び出して受信することによって、該当するマッピング画像を取得してもよい。また、例えば、制御部６０は、選択された選択信号に基づいて、コード毎に対応付けられたフレーム画像をフレーム画像データベースから呼び出し、その信号を受信することによって、該当するフレーム画像を取得してもよい。
【０１４１】
なお、本実施例においては、マッピング画像とフレーム画像とを関連付けた眼鏡画像として、マッピング画像９５とフレーム画像９０とを重畳した眼鏡画像１００を取得する構成を例に挙げて説明したがこれに限定されない。例えば、眼鏡画像１００としては、マッピング画像９５とフレーム画像９０との位置関係を関連付けたものであればよい。例えば、この場合、眼鏡画像１００としては、眼鏡Ｆのフレームやレンズ特性に関する位置を示すようにしてもよい。
【０１４２】
なお、本実施例においては、ディスプレイ３に複数の眼鏡画像１００を表示する構成を例に挙げて説明したがこれに限定されない。例えば、眼鏡マッピング情報取得装置１は、ディスプレイ３に１つの眼鏡画像１００を表示する構成であってもよい。この場合には、操作ボタン４等を用いてディスプレイ３の表示画面を切り換えることで、複数の眼鏡画像を比較可能としてもよい。もちろん、眼鏡画像１００が所定の枚数を超える場合等には、眼鏡画像１００の並列表示と、表示画面の切り換えと、をどちらも行うようにしてもよい。
【０１４３】
なお、本実施例においては、眼鏡マッピング情報取得装置１が備えるディスプレイ３を用いて、眼鏡画像１００を比較可能に表示する構成を例に挙げて説明したがこれに限定されない。例えば、眼鏡画像１００は、眼鏡マッピング情報取得装置１とは異なる別の装置や携帯端末（例えば、タブレット端末等）等を用いることによって比較可能に表示されてもよい。
【０１４４】
また、本実施例においては、複数の眼鏡画像を並列に出力する方法として、ディスプレイ３への表示を例に挙げて説明したがこれに限定されない。例えば、複数の眼鏡画像を並列に出力する方法がプリンタ等を用いた印刷の場合には、１枚の用紙に並べて印刷するようにしてもよい。
【０１４５】
なお、本実施例においては、比較画像１１０に眼鏡Ｆの左リムＦＲＬの眼鏡画像１００を複数表示する構成を例に挙げて説明したがこれに限定されない。例えば、比較画像１１０は、眼鏡Ｆの右リムＦＲＲの眼鏡画像１００を複数表示する構成であってもよい。もちろん、比較画像１１０は、眼鏡Ｆの左リムＦＲＬの眼鏡画像１００と、眼鏡Ｆの右リムＦＲＲの眼鏡画像１００と、をどちらも表示するようにしてもよい。
【符号の説明】
【０１４６】
１  眼鏡マッピング情報取得装置
３  ディスプレイ
６  当接ピン
１０  測定光学系
１４  スクリーン
１６  受光素子
２０  眼鏡支持ユニット
３０  駆動部
６０  制御部
６１  メモリ
７０  測定指標
８０  測定指標像
９０  フレーム画像
９５  マッピング画像
１００  眼鏡画像
１１０  比較画像
【図１】
2019045660.tif 000003
【図２】
2019045660.tif 000004
【図３】
2019045660.tif 000005
【図４】
2019045660.tif 000006
【図５】
2019045660.tif 000007
【図６】
2019045660.tif 000008
【図７】
2019045660.tif 000009
【図８】
2019045660.tif 000010
【図９】
2019045660.tif 000011
【図１０】
2019045660.tif 000012
【図１１】
2019045660.tif 000013
【図１２】
2019045660.tif 000014
【図１３】
2019045660.tif 000015
【図１４】
2019045660.tif 000016
【図１５】
2019045660.tif 000017
【図１６】
2019045660.tif 000018
【図１７】
2019045660.tif 000019
【図１８】
2019045660.tif 000020
【図１９】
2019045660.tif 000021
【図２０】
2019045660.tif 000022